(57)【要約】【課題】セタン価等の燃料（軽油）のアンチノック性を表す指標値の検出の機会を十分に確保できるディーゼル機関の燃料のアンチノック性指標値検出装置を提供すること。【解決手段】セタン価検出制御（ＣＥ検出制御）は、通常制御実行中において燃料噴射量qfinが減少しながら所定量q1に達した時点（ｔ２）から通常制御に代えて開始・実行される。ＣＥ検出制御中（ｔ２〜ｔ３）では、燃料噴射時期CAinjが前記時点（ｔ２）にて設定されていた時期から徐々に遅角されていくとともにqfinがq1に固定される。CAinjが遅角されていくことでＣＥ検出制御中において失火が発生する時期が必ず到来する。この失火発生時期は、燃料のセタン価に依存する。失火発生と判定された時点（ｔ３）におけるCAinjが特定され、この特定されたCAinjと、予め作製された「失火発生時期に対応する燃料噴射時期とセタン価との関係」とを利用して、燃料のセタン価が検出される。【選択図】図５
2010019115.tif 000002
【特許請求の範囲】
【請求項１】
ディーゼル機関の運転状態に基づいて、前記ディーゼル機関の燃焼室に向けて燃料を噴射する燃料噴射弁に対する燃料噴射時期及び燃料噴射量の通常値である通常噴射時期及び通常噴射量を決定する通常値決定手段と、
前記燃料噴射時期及び前記燃料噴射量を前記通常噴射時期及び前記通常噴射量に設定して前記燃料噴射弁に対して噴射指示を行う通常制御を実行する通常制御手段と、
前記通常制御実行中における前記通常噴射量の減少中において、前記通常制御に代えて、前記燃料噴射時期を徐々に遅角していくとともに前記燃料噴射量を前記通常噴射量よりも大きい量に設定して前記燃料噴射弁に対して噴射指示を行う特定制御を開始・実行する特定制御手段と、
前記特定制御実行中において前記ディーゼル機関に失火が発生したか否かを判定する判定手段と、
前記失火が発生したと判定された時点での前記燃料噴射時期に基づいて、燃料のアンチノック性を表す指標値を検出する検出手段と、
を備えたディーゼル機関の燃料のアンチノック性指標値検出装置。
【請求項２】
請求項１に記載のディーゼル機関の燃料のアンチノック性指標値検出装置において、
前記特定制御手段は、
前記通常制御実行中において減少していく前記通常噴射量が所定量に達した時点である到達時点から前記通常制御に代えて前記特定制御を開始・実行し、前記特定制御では、前記燃料噴射時期が前記到達時点にて設定されていた前記通常噴射時期から徐々に遅角されていくとともに前記燃料噴射量が前記所定量に固定される、ディーゼル機関の燃料のアンチノック性指標値検出装置。
【請求項３】
請求項１又は請求項２に記載のディーゼル機関の燃料のアンチノック性指標値検出装置において、
前記通常値決定手段は、
前記ディーゼル機関の運転速度の加速度合いを調整するアクセル操作部材の操作量がゼロより大きい値からゼロに変更された時点である第１時点以降、前記通常噴射量を、前記第１時点の直前にて決定されていた値からゼロに向けて徐々に減少させていくように構成されていて、
前記特定制御手段は、
前記第１時点以降の前記通常噴射量の減少中において前記特定制御を開始・実行するように構成されたディーゼル機関の燃料のアンチノック性指標値検出装置。
【請求項４】
請求項１又は請求項２に記載のディーゼル機関の燃料のアンチノック性指標値検出装置において、
前記通常値決定手段は、
前記ディーゼル機関を始動する際、前記ディーゼル機関の運転速度がピークに達した時点である第２時点以降、前記通常噴射量を、前記第２時点にて決定されていた値から前記運転速度をアイドル運転速度に調整するための値に向けて徐々に減少させていくように構成されていて、
前記特定制御手段は、
前記第２時点以降の前記通常噴射量の減少中において前記特定制御を開始・実行するように構成されたディーゼル機関の燃料のアンチノック性指標値検出装置。
【請求項５】
請求項１又は請求項２に記載のディーゼル機関の燃料のアンチノック性指標値検出装置において、
前記通常値決定手段は、
前記ディーゼル機関のイグニッションがオン状態からオフ状態に変更された時点である第３時点以降、前記通常噴射量を、前記第３時点の直前にて決定されていた値からゼロに向けて徐々に減少させていくように構成されていて、
前記特定制御手段は、
前記第３時点以降の前記通常噴射量の減少中において前記特定制御を開始・実行するように構成されたディーゼル機関の燃料のアンチノック性指標値検出装置。
【請求項６】
請求項１乃至請求項５の何れか一項に記載のディーゼル機関の燃料のアンチノック性指標値検出装置において、
前記判定手段は、前記ディーゼル機関の運転速度の変動に基づいて前記失火が発生したか否かを判定するように構成されたディーゼル機関の燃料のアンチノック性指標値検出装置。
【請求項７】
請求項１乃至請求項６の何れか一項に記載のディーゼル機関の燃料のアンチノック性指標値検出装置において、
前記特定制御手段は、
前記ディーゼル機関を冷却するための冷却液の温度、前記ディーゼル機関の吸気通路内の吸気の圧力、及び前記ディーゼル機関のＥＧＲ率の１又は２以上がそれぞれ対応する所定範囲内にある場合にのみ前記特定制御を実行するように構成されたディーゼル機関の燃料のアンチノック性指標値検出装置。
【請求項８】
請求項１乃至請求項７の何れか一項に記載のディーゼル機関の燃料のアンチノック性指標値検出装置において、
前記検出手段は、前記失火が発生したと判定された時点での前記燃料噴射時期と、前記失火が発生したと判定された時点での前記燃料噴射時期及び前記アンチノック性を表す指標値の予め定められた関係と、に基づいて前記アンチノック性を表す指標値を検出するように構成されたディーゼル機関の燃料のアンチノック性指標値検出装置。
【請求項９】
請求項１乃至請求項８の何れか一項に記載のディーゼル機関の燃料のアンチノック性指標値検出装置において、
前記検出手段は、前記燃料のアンチノック性を表す指標値として、セタン価を検出するように構成されたディーゼル機関の燃料のアンチノック性指標値検出装置。
【発明の詳細な説明】
【技術分野】
【０００１】
本発明は、ディーゼル機関の燃料のアンチノック性指標値検出装置に関する。
【背景技術】
【０００２】
ディーゼル機関の燃料として軽油が使用される。一般に、ディーゼル機関内での軽油のアンチノック性（ディーゼルノックの起こり難さ、耐ノック性）を表す指標値としてセタン価が使用される。セタン価が高いほど、ディーゼルノックが起こり難く、自己着火し易く、且つ失火が発生し難い。セタン価は、ディーゼル機関内での燃焼に大きく影響を与える因子となるから、ディーゼル機関の制御パラメータ（例えば、燃料噴射時期等）が、セタン価に応じて変化するように決定される場合が多い。
【０００３】
ディーゼル機関に使用される軽油（即ち、燃料タンク内の軽油）のセタン価は、給油が行われる毎に変動し得る。従って、ディーゼル機関の制御パラメータを精度良く決定するためには、現在使用中の軽油のセタン価を精度良く検出する必要がある。
【０００４】
従来より、セタン価を検出する種々の装置が知られている。例えば、特許文献１に記載の装置では、ディーゼル機関がフューエルカット制御中において規定量の燃料が噴射され、規定時期から噴射された燃料が着火する時期までの期間に基づいてセタン価が検出されるようになっている。
【特許文献１】特開２００５−３４４５５７号公報
【０００５】
しかしながら、上記文献に記載の装置では、フューエルカット制御が実行される場合にのみセタン価が検出され得る。従って、ディーゼル機関の運転状態によっては、セタン価検出の機会が十分に確保され得ないという問題がある。
【発明の開示】
【０００６】
本発明は、上述の問題を解決するためになされたものであり、その目的は、セタン価等の燃料（軽油）のアンチノック性を表す指標値の検出の機会を十分に確保できるディーゼル機関の燃料のアンチノック性指標値検出装置を提供することにある。
【０００７】
本発明に係るアンチノック性指標値検出装置は、通常値決定手段と、通常制御手段と、特定制御手段と、判定手段と、検出手段とを備えている。以下、係る手段について順に説明していく。
【０００８】
通常値決定手段は、ディーゼル機関の運転状態に基づいて、前記ディーゼル機関の燃焼室に向けて燃料を噴射する燃料噴射弁に対する燃料噴射時期及び燃料噴射量の通常値である通常噴射時期及び通常噴射量を決定する。通常噴射時期及び通常噴射量は、例えば、ディーゼル機関の運転速度、運転速度の加速度合いを調整するアクセル操作部材の操作量、及び燃料のアンチノック性を表す指標値（以下、単に「指標値」とも称呼する。）等に基づいて、予め作製されたテーブル等を使用して決定される。
【０００９】
「指標値」としては、例えば、燃料のセタン価、燃料の密度、粘度等が使用される。通常噴射時期及び通常噴射量は、ディーゼル機関の通常運転中のみならず、ディーゼル機関の始動時、ディーゼル機関のイグニッションオフ時等にも適用されるものである。
【００１０】
通常制御手段は、通常制御を実行する。通常制御では、前記燃料噴射時期及び前記燃料噴射量が前記通常噴射時期及び前記通常噴射量に設定されて前記燃料噴射弁に対して噴射指示が行われる。即ち、通常制御では、通常噴射時期に通常噴射量の燃料が噴射される。
【００１１】
特定制御手段は、特定制御を実行する。特定制御は、通常制御実行中における通常噴射量の減少中において通常制御に代えて開始・実行される。特定制御では、前記燃料噴射時期が徐々に遅角されていくとともに前記燃料噴射量が前記通常噴射量よりも大きい量に設定されて前記燃料噴射弁に対して噴射指示が行われる。即ち、特定制御では、燃料噴射時期が徐々に遅角されていき且つ通常噴射量よりも大きい量の燃料が噴射される。
【００１２】
ここにおいて、前記通常制御実行中において減少していく前記通常噴射量が所定量に達した時点である到達時点から前記通常制御に代えて前記特定制御が開始・実行され、前記特定制御では、前記燃料噴射時期が前記到達時点にて設定されていた通常噴射時期から徐々に遅角されていくとともに前記燃料噴射量が前記所定量に固定されることが好適である。前記所定量は、ディーゼル機関の運転速度をアイドル運転速度に調整するための値に対して大きくても小さくてもよい。
【００１３】
上述のように、特定制御中では、通常噴射量よりも大きい量の燃料が噴射される。この観点では、特定制御中では、特定制御が開始されずに通常制御が継続したと仮定した場合に比してディーゼル機関の出力トルク（及び運転速度）が大きくなる傾向がある。他方、特定制御中では、燃料噴射時期が（通常噴射時期から）徐々に遅角されていく。一般に、燃料噴射時期が（通常噴射時期から）遅角されていくと、ディーゼル機関の出力トルクが小さくなっていく。従って、この観点では、特定制御中では、特定制御が開始されずに通常制御が継続したと仮定した場合に比してディーゼル機関の出力トルク（及び運転速度）が小さくなる傾向がある。
【００１４】
このように、係る２つの傾向は互いに逆の傾向となるから、係る２つの傾向が互いに他方の傾向を打ち消しあう。以上より、通常制御に代えて特定制御を実行しても、ディーゼル機関の出力トルク（及び運転速度）を、特定制御が開始されずに通常制御が継続したと仮定した場合に比して大きく乖離させることなく推移させることができる。
【００１５】
更には、上述のように、特定制御は、燃料噴射量（＝通常噴射量）の減少中において開始・実行される。換言すれば、特定制御は、燃料が噴射されている状態にあるディーゼル機関の運転速度の減速中（以下、単に「ディーゼル機関の減速中」とも称呼する。）に開始・実行される。ここで、「ディーゼル機関の減速中」では、ディーゼル機関の出力トルクの変動があっても、ディーゼル機関が搭載された車両の運転者（搭乗者）がその変動に気付き難い傾向がある。以上のことから、上記のように、「ディーゼル機関の減速中」において特定制御が開始・実行されることで、運転者（搭乗者）に特定制御の開始・実行を気付かせることなく特定制御が開始・実行され得る。
【００１６】
加えて、「ディーゼル機関の減速中」の状態は比較的頻繁に発生し得る。例えば、前記通常値決定手段が、前記アクセル操作部材の操作量がゼロより大きい値からゼロに変更された時点（第１時点）以降、前記通常噴射量を、前記第１時点の直前にて決定されていた値からゼロに向けて徐々に減少させていくように構成されている場合、前記第１時点以降において「ディーゼル機関の減速中」の状態が得られ、前記第１時点以降において前記特定制御が開始・実行され得る。
【００１７】
また、前記通常値決定手段が、前記ディーゼル機関を始動する際、前記ディーゼル機関の運転速度がピークに達した時点（第２時点）以降、前記通常噴射量を、前記第２時点にて決定されていた値から前記運転速度をアイドル運転速度に調整するための値に向けて徐々に減少させていくように構成されている場合、前記第２時点以降において「ディーゼル機関の減速中」の状態が得られ、前記第２時点以降において前記特定制御が開始・実行され得る。
【００１８】
また、前記通常値決定手段が、前記ディーゼル機関のイグニッションがオン状態からオフ状態に変更された時点（第３時点）以降、前記通常噴射量を、前記第３時点の直前にて決定されていた値からゼロに向けて徐々に減少させていくように構成されている場合、前記第３時点以降において「ディーゼル機関の減速中」の状態が得られ、前記第３時点以降において前記特定制御が開始・実行され得る。
【００１９】
以上のように、「ディーゼル機関の減速中」の状態は比較的頻繁に発生し得る。従って、上記のように、「ディーゼル機関の減速中」において特定制御が開始・実行されることで、特定制御の実行の機会が比較的頻繁に確保され得る。
【００２０】
そして、上述のように、特定制御中では、燃料噴射時期が徐々に遅角されていく。従って、特定制御中において失火が発生する時期が必ず到来する。上記失火の発生時期は前記「指標値」が大きいほど遅れる。
【００２１】
判定手段は、前記特定制御実行中において上記失火が発生したか否かを判定する。この判定は、例えば、前記ディーゼル機関の運転速度の変動に基づいて周知の手法の１つを用いて実行され得る。
【００２２】
検出手段は、前記失火が発生したと判定された時点での前記燃料噴射時期に基づいて、「指標値」を検出する。この検出は、例えば、失火の発生開始時期に対応する燃料噴射時期と、「失火の発生開始時期に対応する燃料噴射時期及び「指標値」の予め定められた関係」と、に基づいて実行され得る。
【００２３】
上述のように、上記失火の発生開始時期に対応する燃料噴射時期は「指標値」が大きいほど遅れる。換言すれば、上記「失火の発生開始時期に対応する燃料噴射時期と「指標値」との関係」は、実験等を通して予め取得され得る。従って、上記失火の発生開始時期に対応する燃料噴射時期を取得することで、「指標値」を検出することができる。上記構成は係る知見に基づく。
【００２４】
以上より、上記本発明に係るアンチノック性指標値検出装置によれば、「ディーゼル機関の減速中」において上記特定制御が開始・実行されることで、比較的頻繁に、且つ、運転者（搭乗者）に特定制御の開始・実行を気付かせることなく、「指標値」を検出することができる。
【００２５】
上記本発明に係るアンチノック性指標値検出装置においては、前記特定制御手段は、前記ディーゼル機関を冷却するための冷却液の温度、前記ディーゼル機関の吸気通路内の吸気の圧力、及び前記ディーゼル機関のＥＧＲ率の１又は２以上がそれぞれ対応する所定範囲内にある場合にのみ前記特定制御を実行するように構成されることが好適である。
【００２６】
上述した「失火の発生開始時期に対応する燃料噴射時期と「指標値」との関係」は、前記冷却液の温度、前記吸気の圧力、前記ＥＧＲ率等がそれぞれ対応する所定範囲内にある状態において実験等を通して取得される。従って、上記構成によれば、実際の上記「関係」が実験等を通して予め取得された上記「関係」に比較的近い場合にのみ「指標値」が検出されることが保証される。従って、安定して精度良く「指標値」を検出することができる。
【発明を実施するための最良の形態】
【００２７】
以下、本発明によるディーゼル機関のアンチノック性指標値検出装置（セタン価検出装置）の実施形態について図面を参照しつつ説明する。
【００２８】
図１は、本発明の実施形態に係るディーゼル機関のセタン価検出装置を、４気筒ディーゼル機関１０に適用したシステム全体の概略構成を示している。このシステムは、燃料供給系統を含むエンジン本体２０、エンジン本体２０の各気筒の燃焼室（筒内）にガスを導入するための吸気系統３０、エンジン本体２０からの排ガスを放出するための排気系統４０、排気還流を行うためのＥＧＲ装置５０、及び電気制御装置６０を含んでいる。
【００２９】
エンジン本体２０の各気筒の上部には燃料噴射弁（噴射弁、インジェクタ）２１が配設されている。各燃料噴射弁２１は、図示しない燃料タンクと接続された燃料噴射用ポンプ２２に燃料配管２３を介して接続されている。燃料噴射用ポンプ２２は、電気制御装置６０と電気的に接続されていて、電気制御装置６０からの駆動信号により各燃料噴射弁２１から噴射される燃料の圧力（噴射圧力）を調整できるようになっている。
【００３０】
また、各燃料噴射弁２１は、電気制御装置６０と電気的に接続されていて、電気制御装置６０からの駆動信号により各燃料噴射弁２１から噴射される燃料の量（燃料噴射量）を調整できるようになっている。
【００３１】
吸気系統３０は、エンジン本体２０の各気筒の燃焼室にそれぞれ接続された吸気マニホールド３１、吸気マニホールド３１の上流側集合部に接続され同吸気マニホールド３１とともに吸気通路を構成する吸気管３２、吸気管３２内に回動可能に保持されたスロットル弁３３、電気制御装置６０からの駆動信号に応答してスロットル弁３３を回転駆動するスロットル弁アクチュエータ３３ａ、スロットル弁３３の上流において吸気管３２に順に介装されたインタクーラー３４と過給機３５のコンプレッサ３５ａ、及び吸気管３２の先端部に配設されたエアクリーナ３６とを含んでいる。
【００３２】
排気系統４０は、エンジン本体２０の各気筒にそれぞれ接続された排気マニホールド４１、排気マニホールド４１の下流側集合部に接続された排気管４２、排気管４２に配設された過給機３５のタービン３５ｂ、及び排気管４２に介装されたディーゼルパティキュレートフィルタ（ＤＰＮＲ）４３を含んでいる。排気マニホールド４１及び排気管４２は排気通路を構成している。
【００３３】
ＥＧＲ装置５０は、排気ガスを還流させる通路（ＥＧＲ通路）を構成する排気還流管５１と、排気還流管５１に介装されたＥＧＲ制御弁５２と、ＥＧＲクーラー５３とを備えている。排気還流管５１はタービン３５ｂの上流側排気通路（排気マニホールド４１）とスロットル弁３３の下流側吸気通路（吸気マニホールド３１）を連通している。ＥＧＲ制御弁５２は電気制御装置６０からの駆動信号に応答し、再循環される排気ガス量（排気還流量、ＥＧＲガス流量、ＥＧＲ率）を変更し得るようになっている。なお、ＥＧＲ率とは、本例では、燃焼室に流入する全ガス流量（新気流量＋ＥＧＲガス流量）に対するＥＧＲガス流量の割合をいう。
【００３４】
電気制御装置６０は、互いにバスで接続されたＣＰＵ６１、ＣＰＵ６１が実行するプログラム、テーブル（マップ）、及び定数等を予め記憶したＲＯＭ６２、ＲＡＭ６３、バックアップＲＡＭ６４、並びにＡＤコンバータを含むインターフェース６５等からなるマイクロコンピュータである。
【００３５】
インターフェース６５は、熱線式エアフローメータ７１、スロットル弁開度センサ７２、吸気管圧力センサ７３、クランクポジションセンサ７４、アクセル開度センサ７５、ＥＧＲ制御弁開度センサ７６、及び水温センサ７７と接続されていて、これらのセンサからの信号をＣＰＵ６１に供給するようになっている。
【００３６】
また、インターフェース６５は、燃料噴射弁２１、燃料噴射用ポンプ２２、スロットル弁アクチュエータ３３ａ、及びＥＧＲ制御弁５２と接続されていて、ＣＰＵ６１の指示に応じてこれらに駆動信号を送出するようになっている。
【００３７】
熱線式エアフローメータ７１は、吸気通路内を通過する吸入空気の質量流量（単位時間当りの吸入空気（新気）量）を計測するようになっている。スロットル弁開度センサ７２は、スロットル弁３３の開度を検出するようになっている。吸気管圧力センサ７３は、エンジン１０の燃焼室に吸入されるガスの圧力（吸気管圧力Pm）を検出するようになっている。
【００３８】
クランクポジションセンサ７４は、実クランク角度とともにエンジン１０の回転速度であるエンジン回転速度NEを検出するようになっている。アクセル開度センサ７５は、アクセルペダルＡＰの操作量（アクセルペダル操作量Accp）を検出するようになっている。ＥＧＲ制御弁開度センサ７６は、ＥＧＲ制御弁５２の開度を検出するようになっている。水温センサ７７は、冷却水の温度（冷却水温THW）を検出するようになっている。
【００３９】
（燃料噴射制御、及びセタン価の検出）
上記のように構成されたセタン価検出装置（以下、「本装置」という。）では、燃料噴射制御として、通常運転中（セタン価検出制御が非実行中）に実行される通常制御と、燃料のセタン価検出のために実行されるセタン価検出制御とが選択的に実行される。以下、係る燃料噴射制御、及びセタン価の検出に係わる具体的な処理について、図２、図３にフローチャートにより示したルーチン、図４にグラフにより示したテーブル、及び図５に示したタイムチャートを参照しながら説明する。
【００４０】
図５は、ＩＧスイッチがＯＮ状態に維持されている場合おいて、時刻ｔ１にてアクセルペダル操作量Accpが「０」よりも大きい或る値から「０」にステップ的に変化した場合における、燃料噴射量qfin、燃料噴射時期CAinj、及びディーゼル機関１０の出力トルクの変化の一例を示している。なお、説明の便宜上、図５のCAinjの変化を示すグラフでは、通常制御にて決定される通常噴射時期CAbase（後述）が一定とされている。
【００４１】
ＣＰＵ６１は、図２に示したルーチンを、所定のタイミング（例えば、圧縮行程下死点）が到来する毎に、繰り返し実行するようになっている。従って、或る気筒（任意の気筒）について前記所定のタイミングが到来すると、ＣＰＵ６１はステップ２００から処理を開始し、ステップ２０５に進んで、フラグＸが「０」であるか否かを判定する。ここで、フラグＸは、その値が「１」のときセタン価検出制御（以下、「ＣＥ検出制御」という。）が実行中であることを示し、その値が「０」のときＣＥ検出制御が非実行中（即ち、通常制御が実行中）であることを示す。
【００４２】
いま、図５の時刻ｔ１以前（Accp＞０，qfin＞０）であって通常制御が実行されているものとする。この場合、ＣＰＵ６１はステップ２０５にて「Ｙｅｓ」と判定してステップ２１０に進み、センサ７４，７５にてそれぞれ検出された現在のエンジン回転速度NE、及びアクセルペダル操作量Accp、並びに、後述するルーチンにて検出（更新）されバックアップＲＡＭ６４に記憶されている現在の（最新の）セタン価ＣＥと、「NE，Accp，CEを引数とする通常噴射量qbaseを求めるための図示しないテーブル」と、に基づいて、通常制御中での燃料噴射量である通常噴射量qbaseを決定する。
【００４３】
なお、本例では、アクセルペダル操作量Accpが「０」より大きい値から「０」に変更された時点（後述する図５の時刻ｔ１を参照）以降、通常噴射量qbaseが、その時点の直前にて決定されていた値から「０」に向けて徐々に減少していくように設定される。
【００４４】
次に、ＣＰＵ６１はステップ２１５に進んで、ステップ２１０と同様、現在のNE及びAccp、並びに最新のＣＥと、「NE，Accp，CEを引数とする通常噴射時期CAbaseを求めるための図示しないテーブル」と、に基づいて、通常制御中での燃料噴射時期である通常噴射時期CAbaseを決定する。これらのステップ２１０，２１５にて使用されるテーブルは、通常制御中においてNE，Accp，CEの組み合わせに対して最適な燃焼状態を得るために要求される燃料噴射量（＝通常噴射量qbase）及び燃料噴射時期（＝通常噴射時期CAbase）をそれぞれ適合する実験等を通して予め作製されている。
【００４５】
次いで、ＣＰＵ６１はステップ２２０に進み、センサ７７にて検出された現在の冷却水温THWが所定範囲内にあるか否かを判定し、「Ｙｅｓ」と判定する場合、続くステップ２２５に進んで、センサ７３にて検出された現在の吸気管圧力Pmが所定範囲内にあるか否かを判定し、「Ｙｅｓ」と判定する場合、続くステップ２３０に進んで、現在のＥＧＲ率Regrが所定範囲内にあるか否かを判定する。Regrは、例えば、センサ７２にて検出された現在のスロットル弁３３の開度と、センサ７６にて検出された現在のＥＧＲ制御弁５２の開度等に基づいて周知の手法の１つを用いて算出され得る。
【００４６】
また、ステップ２３０にて「Ｙｅｓ」と判定する場合、ＣＰＵ６１は、続くステップ２３５に進んで、ステップ２３５内に記載の条件が成立しているか否かを判定する。ここで、qbase1は、前回の本ルーチン実行時において後述するステップ２４５にて更新されている通常噴射量の前回値である。q1は、所定量である（図５を参照）。q1は、アイドリング状態での燃料噴射量（アイドル噴射量qidl）より大きくても小さくてもよいが、本例では、q1＞qidlである。ステップ２３５に記載の条件は、「アクセルペダル操作量Accp＝０であり、且つ、通常噴射量qbaseが減少しながら所定量q1に達した（q1を跨いだ）」場合に成立する（後述する図５の時刻ｔ２を参照）。
【００４７】
上述のステップ２２０，２２５，２３０，２３５の全ての条件が成立している場合、ＣＰＵ６１はステップ２５０に進むが、少なくとも１つの条件が不成立の場合、ステップ２４０に進む。現時点は、図５の時刻ｔ１以前であり、Accp＞０である。従って、少なくともステップ２３５の条件が不成立である。従って、ＣＰＵ６１はステップ２４０に進んで、通常制御を実行する。
【００４８】
通常制御では、燃料噴射時期CAinj及び燃料噴射量qfinが、上述のように決定された通常噴射時期CAbase及び通常噴射量qbaseにそれぞれ設定されて、燃料噴射弁２１に対して噴射指示が行われる。この結果、通常制御では、通常噴射時期CAbaseに通常噴射量qbaseの燃料が噴射される。
【００４９】
続いて、ＣＰＵ６１はステップ２４５に進み、通常噴射量の前回値qbase1を、現在の通常噴射量qbaseと等しい値に設定してqbase1を更新する。そして、ＣＰＵ６１は、本ルーチンを一旦終了する。この通常制御は、上述のステップ２２０，２２５，２３０，２３５の全ての条件が成立するまでの間、繰り返し実行される。
【００５０】
図５の時刻ｔ１になると、アクセルペダル操作量Accpが「０」より大きい或る値から「０」にステップ的に変更される。しかしながら、上述のように、時刻ｔ１以降、通常噴射量qbaseが、直ちに「０」とされず、時刻ｔ１の直前にて決定されていた値から「０」に向けて徐々に減少していく。この結果、減少していく燃料噴射量qfin（＝qbase）が所定量q1に達する時刻ｔ２までの間、少なくともステップ２３５の条件が不成立であるから、通常制御が継続される。
【００５１】
時刻ｔ２になると、燃料噴射量qfin（＝qbase）が所定量q1に達するから、ステップ２３５の条件が成立する。また、ステップ２２０，２２５，２３０の条件は共に成立しているものとする。この場合、上述のステップ２２０，２２５，２３０，２３５の全ての条件が成立することになる。従って、時刻ｔ２になると、ＣＰＵ６１はステップ２５０に進む。
【００５２】
ステップ２５０に進むと、ＣＰＵ６１はフラグＸを「０」から「１」に変更し、続くステップ２５５にて通常噴射量の前回値qbase1を「０」に設定し、続くステップ２６０にてＣＥ検出用噴射時期CA1を現在の通常噴射時期CAbaseに設定する。CA1は、後述するように、ＣＥ検出制御中において徐々に遅角されていく燃料噴射時期である。次いで、ＣＰＵ６１はステップ２６５に進み、CA1を現在値（現時点では、CA1＝CAbase、ステップ２６０を参照）から微小値ΔCAだけ遅角する。
【００５３】
次に、ＣＰＵ６１はステップ２７０に進んで、ＣＥ検出制御（前記「特定制御」に対応）を実行する。ＣＥ検出制御では、燃料噴射時期CAinj及び燃料噴射量qfinが、ＣＥ検出用噴射時期CA1（可変）及び所定量q1（一定）にそれぞれ設定されて、燃料噴射弁２１に対して噴射指示が行われる。この結果、ＣＥ検出制御では、ＣＥ検出用噴射時期CA1に所定量q1（一定）の燃料が噴射される。
【００５４】
そして、ＣＰＵ６１は、本ルーチンを一旦終了する。以降、フラグＸ＝１となっている。従って、ＣＰＵ６１は、ステップ２０５に進んだとき「Ｎｏ」と判定してステップ２６５に直ちに進むようになり、ステップ２６５にてCA1を現在値（現時点では、CA1＝CAbaseからΔCAだけ遅角）から微小値ΔCAだけ再び遅角した後、ステップ２７０にて上述したＣＥ検出制御を実行する。このような処理は、フラグＸ＝１である限りにおいて繰り返し実行される。この結果、ステップ２６５が実行される毎に、燃料噴射時期CAinj（＝CA1）が、ΔCAだけ遅角されていく。
【００５５】
このように、ＣＥ検出制御は、通常制御実行中において減少していく通常噴射量qbaseが所定量q1（＞０）に達した時点（時刻ｔ２）から通常制御に代えて開始・実行される。ＣＥ検出制御中では、図５に実線にて示すように、燃料噴射時期CAinjが時刻ｔ２にて設定されていた通常噴射時期CAbaseから徐々に（ΔCAずつ）遅角されていくとともに燃料噴射量qfinが所定量q1に固定される。時刻ｔ２以降も、通常噴射量qbaseは所定量q1から減少していく（図５の破線を参照）。従って、ＣＥ検出制御中では、所定量q1は通常噴射量qbaseよりも大きい量となる。
【００５６】
このように、ＣＥ検出制御中では、通常噴射量qbaseよりも大きい量q1の燃料が噴射される。この観点では、ＣＥ検出制御中では、ＣＥ検出制御が開始されずに通常制御が継続したと仮定した場合（図５の破線を参照）に比してディーゼル機関１０の出力トルクが大きくなる傾向があるといえる。他方、ＣＥ検出制御中では、燃料噴射時期CAinjが通常噴射時期CAbaseから徐々に遅角されていく。これにより、出力トルクが小さくなっていく。従って、この観点では、ＣＥ検出制御中では、ＣＥ検出制御が開始されずに通常制御が継続したと仮定した場合（図５の破線を参照）に比して出力トルクが小さくなる傾向があるといえる。
【００５７】
係る２つの傾向は互いに逆の傾向となり、この結果、係る２つの傾向が互いに他方の傾向を打ち消しあう。以上より、通常制御に代えてＣＥ検出制御を実行しても、出力トルク（図５の実線を参照）が、ＣＥ検出制御が開始されずに通常制御が継続したと仮定した場合（図５の破線を参照）に対して大きく乖離することなく推移する。
【００５８】
更には、上述のように、ＣＥ検出制御は、燃料噴射量qfin（＝通常噴射量qbase）の減少中において開始・実行される。換言すれば、ＣＥ検出制御は、燃料が噴射されている状態にあるディーゼル機関１０のエンジン回転速度NEの減少中（以下、単に「ディーゼル機関の減速中」とも称呼する。）に開始・実行される。ここで、「ディーゼル機関の減速中」では、ディーゼル機関１０の出力トルクの変動があっても、ディーゼル機関１０が搭載された車両の運転者（搭乗者）がその変動に気付き難い傾向がある。以上の２つのことから、「ディーゼル機関の減速中」においてＣＥ検出制御が開始・実行されることで、運転者（搭乗者）にＣＥ検出制御の開始・実行を気付かせることなくＣＥ検出制御が開始・実行され得る。
【００５９】
そして、上述のように、ＣＥ検出制御中では、燃料噴射時期CAinjが通常噴射時期CAbaseから徐々に遅角されていく。燃料噴射時期CAinjが通常噴射時期CAbaseから徐々に遅角されていくと、或る時期にて失火が必ず発生する。
【００６０】
次に、係る失火の発生時期を利用したセタン価の検出について説明する。ＣＰＵ６１は、図３に示したルーチンを、所定のタイミング（例えば、圧縮行程下死点）が到来する毎に、繰り返し実行するようになっている。従って、或る気筒（任意の気筒）について前記所定のタイミングが到来すると、ＣＰＵ６１はステップ３００から処理を開始し、ステップ３０５に進んで、フラグＸが「１」であるか否かを判定し、「Ｎｏ」と判定する場合、ステップ３９５に直ちに進んで本ルーチンを一旦終了する。
【００６１】
いま、時刻ｔ２にて上述のステップ２５０の実行によりフラグＸが「０」から「１」に変更された直後であるものとすると、ＣＰＵ６１はステップ３０５にて「Ｙｅｓ」と判定するようになり、ステップ３１０に進んで、失火が発生しているか否かの判定を開始する。この判定（失火判定）は、例えば、現在までのエンジン回転速度NEの変動に基づいて周知の手法の１つを用いて実行され得る。ＣＰＵ６１は、ステップ３１０にて「Ｎｏ」と判定する場合、ステップ３９５に直ちに進んで本ルーチンを一旦終了する。このような処理は、ステップ３１０にて「Ｙｅｓ」と判定されるまで繰り返し実行される。
【００６２】
このように、失火判定は、ＣＥ検出制御が開始された時刻ｔ２以降において実行される。この失火判定は、ＣＥ検出制御実行中において、燃料噴射時期CAinjが徐々に遅角されていくことに起因して失火が発生開始するまで継続される。
【００６３】
時刻ｔ３にて、ステップ３１０にて失火が発生していると判定されたものとする。この場合、ＣＰＵ６１は、ステップ３１０からステップ３１５に進むようになり、セタン価ＣＥを検出する。セタン価ＣＥは、現在のCA1（＝現在の燃料噴射時期CAinj）及びエンジン回転速度NEと、図４に示した「失火の発生開始時期に対応する噴射時期及びNEとセタン価ＣＥとの関係を規定するテーブル」と、に基づいて検出される。
【００６４】
図４に示したテーブルは、ＣＥ，NEの組み合わせに対して、燃料噴射時期を徐々に遅角していく過程にて失火が発生開始する時期に対応する燃料噴射時期を取得する実験を通して予め取得され得る。図４に示すように、失火の発生開始時期に対応する噴射時期は、セタン価ＣＥが大きいほど、エンジン回転速度NEが小さいほど遅れる傾向がある。
【００６５】
そして、ＣＰＵ６１はステップ３２０に進み、ステップ３１５にて検出したセタン価ＣＥの値（最新値）をバックアップＲＡＭ６４の所定の記憶領域に記憶し、続くステップ３２５にてフラグＸを「１」から「０」に変更する。以降、フラグＸ＝０となっている。従って、ＣＰＵ６１は、図２のステップ２０５に進んだとき再び「Ｙｅｓ」と判定してステップ２１０以降に進むようになり、ステップ２２０，２２５，２３０，２３５の条件が共に成立するまでの間、通常制御が再び実行・継続される。
【００６６】
時刻ｔ３以降（即ち、失火の発生によりセタン価ＣＥが検出された後）では、通常噴射量qbaseが「０」に維持されているから、少なくともステップ２３５の条件が不成立となる。従って、時刻ｔ３以降、通常制御が再び開始・実行される。この場合、時刻ｔ３以降において、燃料噴射量qfin（＝qbase）も「０」となり、フューエルカットが実行されることになる。
【００６７】
以上、ＩＧスイッチがＯＮ状態に維持されている場合（具体的には、完全暖機状態が想定される）における、本装置による燃料噴射制御、及びセタン価の検出について説明した。本装置は、ディーゼル機関１０の始動時においても、上述の図２のルーチンに代えて図６にフローチャートにより示したルーチン（及び、図３に示したルーチン）を所定のタイミング（例えば、圧縮行程下死点）が到来する毎に繰り返し実行することで、燃料噴射制御（通常制御とＣＥ検出制御とが選択的に実行される制御）、及びセタン価の検出を行う。以下、この場合の具体的な処理について、図６に示したルーチン、及び図７に示したタイムチャートを参照しながら説明する。
【００６８】
図７は、ＩＧスイッチがＯＦＦ状態からＯＮ状態に変更されてディーゼル機関１０が始動されてからアイドリング状態に移行するまでの過程における、上述した図５に対応するタイムチャートである。図７の時刻ｔ１、ｔ２、ｔ３はそれぞれ、図５の時刻ｔ１、ｔ２、ｔ３に対応している。図７では、出力トルクの変化に代えてエンジン回転速度NEの変化が示されている。
【００６９】
図６に示したルーチンは、ステップ６０５が追加・挿入された点、ステップ２３５、２７０がステップ６１０、６１５にそれぞれ置き換えられた点においてのみ、図２に示したルーチンと異なる。以下、係る相違点についてのみ説明する。
【００７０】
ステップ６０５では、始動中であるか否かが判定される。「始動中」とは、ＩＧスイッチがＯＦＦ状態からＯＮ状態に変更された時点からアイドリング状態（qfin＝qidl，NE＝NEidl）に移行するまでの期間をいう。qidl，NEidlはそれぞれ、アイドリング状態での燃料噴射量（アイドル噴射量）及びエンジン回転速度（アイドル回転速度）である。従って、図７に示されている期間では「始動中」であると判定されて、ステップ２０５以降の処理（即ち、燃料噴射制御）が実行される。
【００７１】
なお、「始動中」においては、エンジン回転速度NEがピークに達した時点（図７の時刻ｔ１を参照）以降、図６のステップ２１０にて、通常噴射量qbaseが、その時点にて決定されていた値からアイドル噴射量qidlに向けて徐々に減少していくように設定されるようになっている。
【００７２】
ステップ６１０、６１５は、所定量q1（図５を参照）が所定量q2（図７を参照）に置き換えられた点においてのみステップ２３５、２７０とそれぞれ異なる。q2は、qidlよりも大きい。従って、「始動中」では、ＣＥ検出制御は、通常制御実行中における図７の時刻ｔ１以降において減少していく通常噴射量qbaseが、所定量q1に代えて所定量q2（＞０）に達した時点（図７の時刻ｔ２）から通常制御に代えて開始・実行される。換言すれば、この場合も、上述した「ディーゼル機関の減速中」においてＣＥ検出制御が開始・実行されることになる。
【００７３】
そして、ＣＥ検出制御は、図７の時刻ｔ３（即ち、失火の発生によりセタン価ＣＥが検出される時点）まで継続され、時刻ｔ３以降、再び、通常制御が開始・実行される。この結果、時刻ｔ３以降、燃料噴射量qfin（＝qbase）がアイドル噴射量qidlに近づいていき、この結果、エンジン回転速度NEがアイドル回転速度NEidlに近づいていく。
【００７４】
図７に示す場合も、図５に示す場合と同様、ＣＥ検出制御中では、通常噴射量qbaseよりも大きい量q2の燃料が噴射される観点において、ＣＥ検出制御が開始されずに通常制御が継続したと仮定した場合（図７の破線を参照）に比して出力トルク（従って、エンジン回転速度NE）が大きくなる傾向があるといえる。他方、ＣＥ検出制御中では、燃料噴射時期CAinjが通常噴射時期CAbaseから徐々に遅角されていく観点において、ＣＥ検出制御が開始されずに通常制御が継続したと仮定した場合（図７の破線を参照）に比して出力トルク（従って、エンジン回転速度NE）が小さくなる傾向があるといえる。
【００７５】
即ち、図７に示す場合も、図５に示す場合と同様、係る２つの傾向が互いに他方の傾向を打ち消しあう。この結果、「始動中」の途中において通常制御に代えてＣＥ検出制御を実行しても、エンジン回転速度NE（図７の実線を参照）が、ＣＥ検出制御が開始されずに通常制御が継続したと仮定した場合（図７の破線を参照）に対して大きく乖離することなく推移する。従って、この場合も、運転者（搭乗者）にＣＥ検出制御の開始・実行を気付かせることなくＣＥ検出制御が開始・実行され得る。
【００７６】
以上、ディーゼル機関１０の始動時における、本装置による燃料噴射制御、及びセタン価の検出について説明した。本装置は、ディーゼル機関１０のＩＧＯＦＦ時においても、上述の図２のルーチンに代えて図８にフローチャートにより示したルーチン（及び、図３に示したルーチン）を所定のタイミング（例えば、圧縮行程下死点）が到来する毎に繰り返し実行することで、燃料噴射制御（通常制御とＣＥ検出制御とが選択的に実行される制御）、及びセタン価の検出を行う。以下、この場合の具体的な処理について、図８に示したルーチン、及び図９に示したタイムチャートを参照しながら説明する。
【００７７】
図９は、アイドリング状態にある時刻ｔ１にてＩＧスイッチがＯＮ状態からＯＦＦ状態に変更されてディーゼル機関１０が運転が終了するまでの過程における、上述した図５に対応するタイムチャートである。図９の時刻ｔ１、ｔ２、ｔ３はそれぞれ、図５の時刻ｔ１、ｔ２、ｔ３に対応している。
【００７８】
図８に示したルーチンは、ステップ８０５が追加・挿入された点、ステップ２３５、２７０がステップ８１０、８１５にそれぞれ置き換えられた点においてのみ、図２に示したルーチンと異なる。以下、係る相違点についてのみ説明する。
【００７９】
ステップ８０５では、ＩＧＯＦＦ制御中であるか否かが判定される。「ＩＧＯＦＦ制御中」とは、ＩＧスイッチがＯＮ状態からＯＦＦ状態に変更された時点から機関の運転が終了するまでの期間をいう。従って、図９に示されている期間では「ＩＧＯＦＦ制御中」であると判定されて、ステップ８０５以降の処理（即ち、燃料噴射制御）が実行される。
【００８０】
なお、「ＩＧＯＦＦ制御中」においては、ＩＧスイッチがＯＮ状態からＯＦＦ状態に変更された時点（図９の時刻ｔ１を参照）以降、図８のステップ２１０にて、通常噴射量qbaseが、その時点の直前にて決定されていた値から「０」に向けて徐々に減少していくように設定されるようになっている。
【００８１】
ステップ８１０、８１５は、所定量q1（図５を参照）が所定量q3（図９を参照）に置き換えられた点においてのみステップ２３５、２７０とそれぞれ異なる。q3は、qidlよりも小さい。従って、「ＩＧＯＦＦ制御中」では、ＣＥ検出制御は、通常制御実行中における図９の時刻ｔ１以降において減少していく通常噴射量qbaseが、所定量q1に代えて所定量q3（＞０）に達した時点（図９の時刻ｔ２）から通常制御に代えて開始・実行される。換言すれば、この場合も、上述した「ディーゼル機関の減速中」においてＣＥ検出制御が開始・実行されることになる。
【００８２】
そして、ＣＥ検出制御は、図９の時刻ｔ３（即ち、失火の発生によりセタン価ＣＥが検出される時点）まで継続される。そして、時刻ｔ３にて検出されたセタン価ＣＥの値（最新値）がバックアップＲＡＭ６４の所定の記憶領域に記憶された後、ディーゼル機関１０の運転が終了する。
【００８３】
図９に示す場合も、図５に示す場合と同様の理由により、「ＩＧＯＦＦ制御中」の途中において通常制御に代えてＣＥ検出制御を実行しても、出力トルク（図９の実線を参照）が、ＣＥ検出制御が開始されずに通常制御が継続したと仮定した場合（図９の破線を参照）に対して大きく乖離することなく推移する。従って、この場合も、運転者（搭乗者）にＣＥ検出制御の開始・実行を気付かせることなくＣＥ検出制御が開始・実行され得る。
【００８４】
以上、説明したように、本装置によれば、「ディーゼル機関の減速中」においてＣＥ検出制御が開始・実行されることで、運転者（搭乗者）に特定制御の開始・実行を気付かせることなく、セタン価ＣＥを検出することができる。
【００８５】
加えて、「ディーゼル機関の減速中」の状態は、上述した図５、図７、図９に示した時刻ｔ２〜ｔ３の期間（即ち、Accpが「０」よりも大きい値から「０」に変更された場合、機関が始動された場合、ＩＧスイッチがＯＮ状態からＯＦＦ状態に変更された場合）のみならず、Accpが「０」よりも大きい範囲内で減少した場合等にも発生し得る。換言すれば、「ディーゼル機関の減速中」の状態は、比較的頻繁に発生し得る。この結果、「ディーゼル機関の減速中」においてＣＥ検出制御が開始・実行される本装置によれば、比較的頻繁にセタン価ＣＥを検出することができる。
【００８６】
更には、本装置では、ＣＥ検出制御は、冷却水温THW、吸気管圧力Pm、及びＥＧＲ率Regrがそれぞれ対応する所定範囲内にある場合にのみ実行される（図２、図６、図８のステップ２２０、２２５、２３０を参照）。ここで、上述した図４に示した「失火の発生開始時期に対応する噴射時期及びNEとセタン価ＣＥとの関係」は、冷却水温THW、吸気管圧力Pm、及びＥＧＲ率Regrがそれぞれ対応する所定範囲内にある状態において上述した実験等を通して取得されている。従って、このステップ２２０，２２５、２３０の処理により、実際の上記「関係」が実験等を通して予め取得された上記「関係」に比較的近い場合にのみセタン価ＣＥが検出されることが保証される。従って、安定して精度良くセタン価ＣＥを検出することができる。
【００８７】
本発明は上記実施形態に限定されることはなく、本発明の範囲内において種々の変形例を採用することができる。例えば、上記実施形態では、「燃料のアンチノック性を表す指標値」としてセタン価ＣＥが検出されているが、燃料の密度、粘度等が検出されてもよい。
【００８８】
また、上記実施形態では、ＣＥ検出制御中において燃料噴射量qfinが、通常噴射量qbaseよりも大きい値で一定とされるが（図５のq1、図７のq2、図９のq3を参照）、通常噴射量qbaseよりも大きい限りにおいて変化する値であってもよい。
【００８９】
また、上記実施形態では、ＣＥ検出制御は、冷却水温THW、吸気管圧力Pm、及びＥＧＲ率Regrが全てそれぞれ対応する所定範囲内にある場合にのみ実行される（図２、図６、図８のステップ２２０、２２５、２３０を参照）が、ステップ２２０、２２５、２３０の何れかを省略してもよい。また、ステップ２２０、２２５、２３０の全てを省略してもよい。
【００９０】
また、上記実施形態では、図２のステップ２３５に示すように、「アクセルペダル操作量Accp＝０であり、且つ、通常噴射量qbaseが減少しながら所定量q1に達した（q1を跨いだ）」という条件が成立した場合にＣＥ検出制御が開始されるが、この条件から「アクセルペダル操作量Accp＝０」を省略してもよい。即ち、Accp＞０に維持されている状態であっても、通常噴射量qbaseが減少しながら所定量q1に達した（q1を跨いだ）場合にＣＥ検出制御が開始されてもよい。
【００９１】
更には、（所定量q1との大小にかかわらず）通常噴射量qbaseが減少する状態が所定期間継続した場合にＣＥ検出制御を開始してもよい。この場合、通常噴射量qbaseの減少勾配が所定値以上の状態が所定期間継続した場合にのみＣＥ検出制御を開始するように構成してもよい。
【００９２】
また、上記実施形態において、ＣＥ検出制御実行中において、通常噴射量qbaseが減少から増大に転じた場合、ＣＥ検出制御を中止して通常制御に切り替えるように構成してもよい。
【００９３】
加えて、圧縮行程上死点近傍での燃料噴射（メイン噴射）に加えて、圧縮行程中においてメイン噴射の前に１回又は複数回の燃料噴射（パイロット噴射）が行われるディーゼル機関の場合、ＣＥ検出制御にて、少なくともメイン噴射される燃料の量が、メイン噴射される燃料についての通常噴射量よりも大きい値に設定される必要がある。この場合、パイロット噴射される燃料の量は、パイロット噴射される燃料についての通常噴射量よりも大きい値に設定されてもよいし、その通常噴射量と等しい値に設定されてもよい。
【図面の簡単な説明】
【００９４】
【図１】本発明の実施形態に係るディーゼル機関の燃料のアンチノック性指標値検出装置を４気筒ディーゼル機関に適用したシステム全体の概略構成図である。
【図２】図１に示したＣＰＵが実行する燃料噴射制御を行うためのルーチンを示したフローチャートである。
【図３】図１に示したＣＰＵが実行するセタン価検出を行うためのルーチンを示したフローチャートである。
【図４】図１に示したＣＰＵが参照する、「失火の発生開始時期に対応する噴射時期及び回転速度と、セタン価との関係」を規定するテーブルを示したグラフである。
【図５】アクセルペダル操作量が「０」よりも大きい値から「０」に変更された場合においてセタン価検出制御が実行される場合を説明するためのタイムチャートである。
【図６】図１に示したＣＰＵが実行する始動時燃料噴射制御を行うためのルーチンを示したフローチャートである。
【図７】ディーゼル機関が始動された場合においてセタン価検出制御が実行される場合を説明するためのタイムチャートである。
【図８】図１に示したＣＰＵが実行するＩＧＯＦＦ時燃料噴射制御を行うためのルーチンを示したフローチャートである。
【図９】ＩＧスイッチがＯＮ状態からＯＦＦ状態に変更された場合においてセタン価検出制御が実行される場合を説明するためのタイムチャートである。
【符号の説明】
【００９５】
２１…燃料噴射弁、６０…電気制御装置、６１…ＣＰＵ、７２…スロットル弁開度センサ、７３…吸気管圧力センサ、７４…クランクポジションセンサ、７５…アクセル開度センサ、７６…ＥＧＲ制御弁開度センサ、７７…水温センサ
【図１】
2010019115.tif 000003
【図２】
2010019115.tif 000004
【図３】
2010019115.tif 000005
【図４】
2010019115.tif 000006
【図５】
2010019115.tif 000007
【図６】
2010019115.tif 000008
【図７】
2010019115.tif 000009
【図８】
2010019115.tif 000010
【図９】
2010019115.tif 000011